(57)【要約】【課題】  本発明は、主として医療用教材として使用されるものであって、例えば、骨への力のかかり方によってどのような骨折が起こるのかが視覚にて理解できる立体的な骨格模型を提供する。【解決手段】  骨格模型Ｋでは、尺骨の骨折と橈骨頭の脱臼とが合併してなるモンテギア骨折（伸展型骨折、屈曲型骨折）が説明できる。尺骨部材１４は、頭部側（上部側）から略１／３の位置に骨折部１４０を有している。尺骨部材１４は、骨折部１４０から切断されており、骨折部１４０から上部は上部尺骨部材１４１であり、下部は下部尺骨部材１４２である。上部尺骨部材１４１と下部尺骨部材１４２は、骨折部１４０の端面１４３，１４４を突き合わせて連結具２５と芯部材２６で動かせるよう繋いである。【選択図】図１
2007272115.tif 000002
【特許請求の範囲】
【請求項１】
関節と対応する部分が動く骨格模型であって、
骨格模型を構成する骨格部材は骨折部を備えており骨折状態が立体的に再現できるよう構成してある、
骨格模型。
【請求項２】
骨折部は骨格部材を切断または分離して形成してあり、当該骨格部材は骨折していない状態と骨折状態が再現できるよう切断または分離箇所を伸縮性及び柔軟性を有する連結手段で繋いで構成してある、
請求項１記載の骨格模型。
【請求項３】
切断または分離箇所の突き合わせ面または突き合わせ面近傍の周面には、骨格部材の切断または分離箇所を突き合わせた状態からずれないようにするずれ防止手段を備えている、
請求項２記載の骨格模型。
【請求項４】
骨格部材は、関節と対応する部分が正常位置より外れて脱臼状態が立体的に再現できるよう構成してある、
請求項１，２または３記載の骨格模型。
【請求項５】
骨格部材の骨折部またはその近傍には、骨折部から動かされる骨格部材の転位方向が案内できる案内手段が設けてある、
請求項１，２，３または４記載の骨格模型。
【発明の詳細な説明】
【技術分野】
【０００１】
本発明は骨格模型に関する。更に詳しくは、主として医療用教材として使用されるものであって、例えば、骨への力のかかり方によってどのような骨折が起こるのかが視覚にて理解できる立体的な骨格模型に関する。また、その骨折した骨またはその近傍の骨がどの方向に転位するのかが視覚にて理解できる立体的な骨格模型に関する。
【背景技術】
【０００２】
医療系の教育機関において、人体における筋肉と骨格の関係や動きを教える授業では、文献による文字情報だけでなく、これと併用して図や絵、また立体的に形成された骨格模型や筋肉模型等の医療用教材が使われることがある。このような筋肉や骨格の知識は、医者は勿論のこと、理学療法士や柔道整復師等の医療分野及びその関連分野に従事する者にとっても必要なこととされている。例えば、特許文献１には医療用教材として使用される骨格模型が開示されている。
【０００３】
【特許文献１】特開昭６３−３４５７８号公報
【発明の開示】
【発明が解決しようとする課題】
【０００４】
しかし、上記した医療用教材には、次のような課題があった。
まず、図や絵の教材は、当然ながら平面的なものであり実際に動かしたりできない。そのためこれらの教材では情報量に限界があり、十分な説明が困難であった。
【０００５】
また、骨格模型は、立体的に形成されており動かせるものもあるが、骨への力のかかり方によってどのような骨折が起こり、また、その骨折した骨またはその近傍の骨がどの方向に転位するのかが視覚にて理解できるようにしたものはなかった。つまり、従来の医療用教材は、骨折に関する理解を深めるものにはならなかった。
【０００６】
本発明の目的は、例えば、骨への力のかかり方によってどのような骨折が起こるのかが視覚にて理解できる立体的な骨格模型を提供することにある。また、本発明の他の目的は、その骨折した骨またはその近傍の骨がどの方向に転位するのかが視覚にて理解できる立体的な骨格模型を提供することにある。
【課題を解決するための手段】
【０００７】
上記目的を達成するために本発明が講じた手段は次のとおりである。
本発明は、関節と対応する部分が動く骨格模型であって、骨格模型を構成する骨格部材は骨折部を備えており骨折状態が立体的に再現できるよう構成してある骨格模型である。
【０００８】
骨折部は骨格部材を切断または分離して形成してあり、当該骨格部材は骨折していない状態と骨折状態が再現できるよう切断または分離箇所を伸縮性及び柔軟性を有する連結手段で繋いで構成してあることが好ましい。
【０００９】
切断または分離箇所の突き合わせ面または突き合わせ面近傍の周面には、骨格部材の切断または分離箇所を突き合わせた状態からずれないようにするずれ防止手段を備えていることが好ましい。
【００１０】
骨格部材は、関節と対応する部分が正常位置より外れて脱臼状態が立体的に再現できるよう構成してあることが好ましい。
【００１１】
骨格部材の骨折部またはその近傍には、骨折部から動かされる骨格部材の転位方向が案内できる案内手段が設けてあることが好ましい。
【００１２】
（作  用）
本発明は、骨格部材を骨折部から動かすことによって骨折状態が立体的に再現できる。
【００１３】
骨格部材が連結手段で繋いであるものは、骨折部から分離しないようにして骨折していない状態と骨折状態が再現できる。
【００１４】
ずれ防止手段を備えているものは、骨格部材の切断または分離箇所が突き合わせた状態からずれないようにできる。
【００１５】
本発明は、関節と対応する部分が正常位置より外れて脱臼状態が立体的に再現できる。
【００１６】
本発明は、骨折部から動かされる骨格部材の転位方向が案内手段により案内できる。
【発明の効果】
【００１７】
本発明は上記構成を備え、次の効果を有する。
（ａ）本発明は、関節と対応する部分以外の部分が動く骨折部を備えているので、骨格部材を骨折部から動かすことにより、例えば、骨への力のかかり方によってどのような骨折が起こるのかが立体的に再現できる。従って、従来の模型よりも骨折に関する理解度が深まることが期待できる。
【００１８】
（ｂ）骨格部材が連結手段で繋いであるものは、骨折部から分離しないようにして骨折していない状態と骨折状態が再現できる。
【００１９】
（ｃ）ずれ防止手段を備えているものは、骨格部材の切断または分離箇所が突き合わせた状態からずれないようにできる。
【００２０】
（ｄ）本発明は、関節と対応する部分が正常位置より外れるので、骨折と共に脱臼が生じる場合では、その脱臼状態が立体的に再現できる。従って、この場合も従来の模型よりも理解度が深まることが期待できる。
【００２１】
（ｅ）本発明は、骨折部から動かされる骨格部材の転位方向が案内手段により案内できるので、骨折時における骨の転位方向も説明できる。
【発明を実施するための最良の形態】
【００２２】
本発明の実施の形態を図面に基づき更に詳細に説明する。
図１は本発明に係る骨格模型の一実施の形態を示しており、右腕を模した骨格模型の正常状態を示す説明図、
図２は図１に示す骨格模型を肘過伸展位、前腕部分を過回内位に捻転したときの尺骨部材の骨折、橈骨部材の橈骨頭部の脱臼状態を示す説明図（モンテギア屈曲型骨折）、
図３は図１に示す骨格模型を肘過伸展位、前腕部分を過回外位に捻転したときの尺骨部材の骨折、橈骨部材の橈骨頭部の脱臼状態を示す説明図（モンテギア伸展型骨折）、
図４は尺骨部材の骨折部を示す拡大断面図、
図５は橈骨部材の手首側が橈側・掌側に転位した骨折状態を示す拡大説明図、
図６は橈骨部材の手首側が橈側・背側に転位した骨折状態を示す拡大説明図、
図７は図５に示す状態の手首近傍を拡大して示す要部斜視説明図である。
【００２３】
符号Ｋは人体の右腕を模した骨格模型を示している。骨格模型Ｋは、右腕を構成する骨と対応する各種の骨格部材と、各種連結具を組み合わせて形成されている。本実施の形態で示す骨格模型Ｋは、尺骨の骨折と橈骨頭の脱臼とが合併してなるモンテギア骨折（伸展型骨折、屈曲型骨折）と、転倒して手の甲や手の掌を衝いた時に起こる手首の骨折を示す橈骨遠位端骨折（伸展型骨折、屈曲型骨折）を説明するものである。
【００２４】
骨格部材には、肩甲骨に対応する肩甲骨部材１０、鎖骨に対応する鎖骨部材１１、上腕骨に対応する上腕骨部材１２、橈骨に対応する橈骨部材１３、尺骨に対応する尺骨部材１４、手の骨に対応する手の骨部材１５がある。このうち肩甲骨部材１０と鎖骨部材１１は固定した状態で一体化してある。
【００２５】
肩甲骨部材１０は、連結具２０を介して上腕骨部材１２の上部側と動かせるよう繋いである。連結具２０は、所要長さを有する板状体を半円弧状に略Ｕ型状に曲げて形状を有する固定具２００と、固定具２００の両端間に架設してある連結ピン２０１を備えている。固定具２００は、両端を外方に向けて、円弧状の中間部分を肩甲骨部材１０の所要位置に固定して取り付けてある。上腕骨部材１２の上部側には貫通穴（図では見えない）が形成してある。上腕骨部材１２は、この貫通穴に連結ピン２０１を通して肩甲骨部材１０と繋いである。
【００２６】
上腕骨部材１２の下部側は、連結具２１を介して尺骨部材１４の上部側と動かせるよう繋いである。連結具２１は細い線材を環状にして形成してある。連結具２１は、上腕骨部材１２の下部側に設けた貫通孔１２０と尺骨部材１４に設けた貫通孔（図では見えない）に通して取り付けてある。
【００２７】
橈骨部材１３の上部側は、連結具２２を介して尺骨部材１４の上部側と動かせるよう繋いである。連結具２２は細い線材を環状にして、輪部を有するよう形成してある。橈骨部材１３は、連結具２２の輪部内に通して、橈骨頭に対応する橈骨頭部１３０が引っ掛かって抜けないよう取り付けてある。
【００２８】
橈骨部材１３は、下部側（手の骨部材１５側）に骨折部１３１を有している。橈骨部材１３は骨折部１３１から切断されており、骨折部１３１から上部は橈骨部材本体１３２であり、下部は遠位端部材１３３である。橈骨部材本体１３２と遠位端部材１３３は、骨折部１３１の突き合わせ面である端面１３４，１３５を突き合わせて連結具１３８で動かせるよう繋いである（図７参照）。
【００２９】
橈骨部材本体１３２の下部側には、端面１３４から切り込まれるようにして案内手段であるガイド溝１３６が形成してある。また、遠位端部材１３３の下部側にも、端面１３５から切り込まれるようにして案内手段であるガイド溝１３７が形成してある。ガイド溝１３６とガイド溝１３７は、遠位端部材１３３の転位方向となる橈骨部材１３の遠位から近位にかけての方向に形成してある。ガイド溝１３６とガイド溝１３７は、所要間隔をあけて二箇所に形成してある。
【００３０】
橈骨部材本体１３２のガイド溝１３６の奥側には、両ガイド溝１３６を貫通して軸ピン１３９が内蔵してある。また、遠位端部材１３３のガイド溝１３７の奥側にも、両ガイド溝１３７を貫通して軸ピン１３９が内蔵してある。軸ピン１３９は所要長さを有する棒形状を有している。
【００３１】
連結具１３８は２本の細い線材を備えている。各連結具１３８は略輪状になるよう形成してある。連結具１３８は保形性を有することが好ましい。
【００３２】
橈骨部材本体１３２と遠位端部材１３３は、端面１３４と端面１３５を合わせた状態で、連結具１３８をそれぞれガイド溝１３６とガイド溝１３７内に挿し込み、連結具１３８の内部に二つの軸ピン１３９を通して繋いである。このように繋いだ橈骨部材本体１３２と遠位端部材１３３は、遠位端部材１３３が橈骨部材本体１３２の掌側に転位したり（図５参照）、橈骨部材本体１３２の背側に転位した状態（図６参照）となるよう移動可能である。
【００３３】
手の骨部材１５は、連結具２３を介して遠位端部材１３３の下部側と動かせるよう繋いである。手の骨部材１５は、各指の骨を構成する部分が間にスペーサ（図示省略）を設けて間隔をあけた状態（いわゆる指を拡げた状態）となるようにしてある。連結具２３は、固定具２３０と、固定具２３１と、固定具２３０と固定具２３１を繋ぐ管体２３２を備えている。固定具２３０は、細い線材の両端を遠位端部材１３３に埋めて輪部を形成して取り付けてある。固定具２３１は、細い線材の両端を手の骨部材１５に埋めて輪部を形成して取り付けてある。連結具２３は、固定具２３０と固定具２３１を管体２３２の内部に通して連結してある（図７参照）。
【００３４】
尺骨部材１４の下部側は、連結具２４を介して遠位端部材１３３の側部と動かせるよう繋いである。連結具２４は、固定具２４０と、スライドピン２４２を備えている。固定具２４０は、一端が遠位端部材１３３の側部に埋めてあり、他端にガイド穴２４１が形成してある。スライドピン２４２は、一端が尺骨部材１４の下部側に埋めてあり、他端にストッパー部２４３が形成してある。スライドピン２４２は、軸線方向が橈骨部材１３と略平行に設けてある。尺骨部材１４は、上記ガイド穴２４１内にスライドピン２４２を通して橈骨部材１３と繋いである。尺骨部材１４は、スライドピン２４２のストッパー部２４３がガイド穴２４１と当たって止まる範囲で移動可能である。
【００３５】
尺骨部材１４は、頭部側（上部側）から略１／３の位置に骨折部１４０を有している。尺骨部材１４は、骨折部１４０から切断されており、骨折部１４０から上部は上部尺骨部材１４１であり、下部は下部尺骨部材１４２である。上部尺骨部材１４１と下部尺骨部材１４２は、骨折部１４０の突き合わせ面である端面１４３，１４４を突き合わせて連結手段である連結具２５とずれ防止手段である芯部材２６で動かせるよう繋いである（図４参照）。
【００３６】
上部尺骨部材１４１の下部側には貫通孔１４５が横方向に二箇所に並んで形成してある。また、下部尺骨部材１４２の上部側にも貫通孔１４６が横方向に二箇所に並んで形成してある。連結具２５は伸縮性及び柔軟性を有する２本の細い線材（または紐材）で構成してある。上部尺骨部材１４１と下部尺骨部材１４２は、連結具２５のそれぞれを貫通孔１４５と貫通孔１４６に通して輪状にすることで分離しないよう繋いである。伸縮性及び柔軟性を備える連結具２５を用いることにより、尺骨部材１４は骨折部１４０から折り曲げることができる。連結具２５は伸縮性及び柔軟性を備えた材料が使用され、好適には弾性を有するバネ、ゴム、合成樹脂等の弾性体が使用される。
【００３７】
上部尺骨部材１４１の端面１４３の中心部には挿込穴１４７が形成してある。また、下部尺骨部材１４２の端面１４４の中心部にも挿込穴１４８が形成してある。挿込穴１４７と挿込穴１４８には、骨折部１４０の中心位置がずれないようにする芯部材２６が内蔵してある。芯部材２６は所要長さを有する棒形状を有している。芯部材２６は曲げることができる材料で形成してあり、好適には曲げることができる金属（例えば半田）、ゴム、合成樹脂等が使用される。また、ずれ防止手段は、例えば、端面１４３と端面１４４に凸部とこれと嵌合する凹部等を設けたり、上部尺骨部材１４１と下部尺骨部材１４２を突き合わせることで、端面１４３と端面１４４の中心位置を合わせることができるよう案内する案内部材を各端面近傍の周面に設けたりしたもの等が使用できる。
【００３８】
本実施の形態において骨格部材を構成する各部材は、合成樹脂で形成したものを示したがこれは限定するものではなく、例えば、金属、木材、竹材、陶磁器またはこれらの複合物（合成樹脂を含む）等で形成しても良い。
【００３９】
連結具２０，２１，２２，２３，２４，１３８は剛性または準剛性を有する材料で形成されたものが好適である。例えば、金属や合成樹脂等が使用可能である。
【００４０】
（作  用）
図１ないし図７を参照し、本実施の形態で示す骨格模型Ｋの作用を説明する。
はじめに骨格模型Ｋを使用してモンテギア骨折（伸展型、屈曲型）が起こる仕組みを説明する。
図１を参照する。図１は肘関節伸展位で手の骨部材１５を背屈位に向けた正常な状態（骨折していない状態）を示している。
【００４１】
モンテギア骨折（伸展型）は、図１に示す状態から転倒等して、手の掌を回外位で衝いて中枢から体重が加わることで、上腕の内旋力が前腕部を回外位に強制し、過回外位となることで起こる。骨格模型Ｋで説明すると、橈骨部材１３が尺骨部材１４の周囲を回外位に捻転して、手の骨部材１５が過回外位に捻転する状態となる。
【００４２】
詳しくは、手の骨部材１５が過回外位に捻転することにより、橈骨部材１３（上・中約１／３境界部後方）が尺骨部材１４（上・中約１／３境界部後方）に衝突し、これにより尺骨部材１４が骨折部１４０から前方に骨折し、押し出されて転位する。また、橈骨部材１３は、橈骨頭部１３０が肘関節の過伸展と、尺骨部材１４を骨折させた力と、中枢からの体重によって、前方に押し出されて正常位置より外れて脱臼した状態となる。
【００４３】
モンテギア骨折（屈曲型）は、図１に示す状態から転倒等して、手の掌を回内位で衝いて中枢から体重が加わることで、上腕の外旋力が前腕部を回内位に強制し、過回内位となるで起こる。骨格模型Ｋで説明すると、橈骨部材１３が尺骨部材１４の周囲を回内位に捻転して、手の骨部材１５が過回内位に捻転する状態となる。
【００４４】
詳しくは、手の骨部材１５が過回内位に捻転することにより、橈骨部材１３（上・中約１／３境界部前方）が尺骨部材１４（上・中約１／３境界部前方）に衝突し、これにより尺骨部材１４が骨折部１４０から後方に骨折し、押し出されて転位する。また、橈骨部材１３は、橈骨頭部１３０が肘関節の過伸展と、尺骨部材１４を骨折させた力と、中枢からの体重によって、後方に押し出されて正常位置より外れて脱臼した状態となる。
【００４５】
なお、上記のモンテギア骨折の説明においては、手の骨部材１５を回内位や回外位に回動させた場合を示したが、例えば、手の骨部材１５は固定しておき、上腕骨部材１２等を回内位や回外位に回動させても同様にモンテギア骨折が起こる仕組みは説明できる。
【００４６】
次に、骨格模型Ｋを使用して橈骨遠位端骨折（伸展型、屈曲型）が起こる仕組みを説明する。
橈骨遠位端骨折（屈曲型）は、肘関節伸展位で手の甲を衝くことによって起こる。骨格模型Ｋで説明すると、まず、上腕骨部材１２、橈骨部材１３、尺骨部材１４を伸展した状態にし、手の骨部材１５を手の甲側が下側（掌屈）になるようにする。この状態で手の甲を衝いて起こる橈骨遠位端骨折（屈曲型）は、図５に示すように橈骨部材１３が骨折部１３１より折れて、遠位端部材１３３が橈骨部材本体１３２の橈側・掌側にずれて転位する。
【００４７】
一方、橈骨遠位端骨折（伸展型）は、肘関節伸展位で手の掌を衝くことによって起こる。骨格模型Ｋで説明すると、上腕骨部材１２、橈骨部材１３、尺骨部材１４を伸展した状態にし、手の骨部材１５を手の掌側が下側になるようにする。この状態で手の掌を衝いて起こる橈骨遠位端骨折（伸展型）は、図６に示すように橈骨部材１３が骨折部１３１より折れて、遠位端部材１３３が橈骨部材本体１３２の橈側・背側にずれて転位する。
【００４８】
橈骨部材本体１３２と遠位端部材１３３は連結具１３８によって繋がれており、この連結具１３８はガイド溝１３６とガイド溝１３７内に設けてあるので、橈骨部材本体１３２は、連結具１３８がガイド溝１３６とガイド溝１３７によって案内される方向に転位する。このように骨格模型Ｋで橈骨遠位端骨折の説明をする場合では、遠位端部材１３３に対する橈骨部材本体１３２の転位方向も理解できる。
【００４９】
骨格模型Ｋによれば、どのような力がかかったときにモンテギア骨折が起こり、また、手の衝き方（手の甲で衝くか、手の掌で衝くか）によってどのような橈骨遠位端骨折が起こり、更にはその骨折した骨がどの方向に転位するのかを立体的に説明することができる。従って、従来の模型よりもモンテギア骨折に関する理解度が深まることが期待できる。
【００５０】
また、骨格模型Ｋによる骨折のうち橈骨遠位端骨折を説明する橈骨部材本体１３２と遠位端部材１３３には、橈骨部材本体１３２の転位方向を案内するガイド溝１３６とガイド溝１３７が形成してあるので、橈骨部材本体１３２を遠位端部材１３３に対して所定の転位方向に案内することができる。このように骨格模型Ｋによる橈骨遠位端骨折では、橈骨部材本体１３２の転位方向も説明することができる。
【００５１】
本実施の形態では、骨格模型として人体の右腕を模したものを例に挙げて説明したが、骨格模型はこれに限定するものではない。骨格模型は、人体を構成する骨格と対応するものによって構成可能である。
【００５２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００５３】
【図１】本発明に係る骨格模型の一実施の形態を示しており、右腕を模した骨格模型の正常状態を示す説明図。
【図２】図１に示す骨格模型を肘過伸展位、前腕部分を過回内位に捻転したときの尺骨部材の骨折、橈骨部材の橈骨頭部の脱臼状態を示す説明図。
【図３】図１に示す骨格模型を肘過伸展位、前腕部分を過回外位に捻転したときの尺骨部材の骨折、橈骨部材の橈骨頭部の脱臼状態を示す説明図。
【図４】尺骨部材の骨折部を示す拡大断面図。
【図５】橈骨部材の手首側が橈側・掌側に転位した骨折状態を示す拡大説明図。
【図６】橈骨部材の手首側が橈側・背側に転位した骨折状態を示す拡大説明図。
【図７】図５に示す状態の手首近傍を拡大して示す要部斜視説明図。
【符号の説明】
【００５４】
Ｋ  骨格模型
１０  肩甲骨部材
１１  鎖骨部材
１２  上腕骨部材
１２０  貫通孔
１３  橈骨部材
１３０  橈骨頭部
１３１  骨折部
１３２  橈骨部材本体
１３３  遠位端部材
１３４，１３５  端面
１３６  ガイド溝
１３７  ガイド溝
１３８  連結具
１３９  軸ピン
１４  尺骨部材
１４０  骨折部
１４１  上部尺骨部材
１４２  下部尺骨部材
１４３，１４４  端面
１４５  貫通孔
１４６  貫通孔
１４７  挿込穴
１４８  挿込穴
１５  骨部材
２０  連結具
２００  固定具
２０１  連結ピン
２１  連結具
２２  連結具
２３  連結具
２３０  固定具
２３１  固定具
２３２  管体
２４  連結具
２４０  固定具
２４１  ガイド穴
２４２  スライドピン
２４３  ストッパー部
２５  連結具
２６  芯部材
【図１】
2007272115.tif 000003
【図２】
2007272115.tif 000004
【図３】
2007272115.tif 000005
【図４】
2007272115.tif 000006
【図５】
2007272115.tif 000007
【図６】
2007272115.tif 000008
【図７】
2007272115.tif 000009